(57)【要約】      （修正有）【課題】光源を付属させることなく、外部の光によって口腔内を照らすことのできる検査具を提供する。【解決手段】検査具は、集光部１１と、集光部１１から入射した光を導く導光部１２と、導光部１２に導かれた光を放出する照射部１３とを備える。集光部１１の面積は照射部１３の照射面の面積より大きいことを特徴とする。【選択図】図１
0003182337.tif 000002
【実用新案登録請求の範囲】
【請求項１】
集光部と、前記集光部から入射した光を導く導光部と、前記導光部に導かれた光を放出する照射部とを設け、前記集光部の集光面の面積は前記照射部の照射面の面積より大きいことを特徴とする検査具。
【請求項２】
請求項１に記載の検査具であって、
前記照射部から放出された光に照射された照射物を映すミラー部を備えることを特徴とする検査具。
【請求項３】
請求項１又は２に記載の検査具であって、
前記集光部、前記導光部、前記照射部が一体成型によって形成されていることを特徴とする検査具。
【請求項４】
請求項１から３のいずれか一項に記載の検査具であって、
石英ガラス、ポリカーボネート、ポリプロピレン、エラストマー、アクリル、シリコーンゴムのいずれかで一体成型された透光体を備え、
前記透光体の一端に前記集光部、他端に前記照射部が形成されていること
を特徴とする検査具。
【請求項５】
請求項１から４のいずれか一項に記載の検査具であって、
前記集光部の集光面の面積は、前記照射部の照射面の面積の５倍以上とすることを特徴とする検査具。
【請求項６】
請求項１から５のいずれか一項に記載の検査具であって、
前記導光部は塑性変形することを特徴とする検査具。
【請求項７】
請求項１から６のいずれか一項に記載の検査具であって、
前記照射部は、前記導光部の先端が所定の角度で屈曲することにより形成されていることを特徴とする検査具。
【請求項８】
請求項１から７のいずれか一項に記載の検査具であって、
前記導光部は光を反射する反射膜を備えることを特徴とする検査具。
【請求項９】
請求項８に記載の検査具であって、
前記反射膜は前記導光部にスパッタリングにより成膜されていること
を特徴とする検査具。
【請求項１０】
請求項１から９のいずれか一項に記載の検査具であって、
前記集光部に照明器具が接続されていることを特徴とする検査具。
【考案の詳細な説明】
【技術分野】
【０００１】
本考案は、集光機能を備えた検査具に関する。
【背景技術】
【０００２】
従来、口腔内を観察するために、柄のついた小型鏡を口腔内に挿入し、鏡に映った像を視認している。この際に、暗い口腔内を観察しやすくするため、口腔内を照らす光源を小型鏡付近に付加したり、光源からの光を小型鏡付近に導いて口腔内を照らす技術が公開されている。
【０００３】
特許文献１には、柄１と鏡３を有する口腔内視鏡において、底部１２を有する中空形状の柄１と、この柄１内に収納又は引き出し自在に挿入したアーム体２と、アーム体２に連設した鏡３からなる口腔内視鏡であって、柄１内に収納したアーム体２を引き出すことにより柄１と鏡３との距離を調整できることを特徴とした口腔内視鏡が開示されている。
【０００４】
また、特許文献２には、検査鏡の支持柄中に光源を置き、その光を支持柄中に取付けたガラス又は光ファイバーにより検査鏡付近に導き、口腔内を照らすことにより検査に資する口腔内検査鏡が開示されている。
【先行技術文献】
【特許文献】
【０００５】
【特許文献１】実用新案登録第３０６６５２８号
【特許文献２】特開平０４−６７８３３号公報
【考案の概要】
【考案が解決しようとする課題】
【０００６】
上述の特許文献１に開示された口腔内視鏡は、アームの鏡側の先端部分に小型電球からなる光源を配設しており、口腔内において患部等の近傍に光源を得て、口腔内を照らす構成となっている。
【０００７】
また、特許文献２に開示された照明付検査鏡は、支持柄中に光源を設け、光源の光をガラス又は光ファイバーによって検査鏡付近に導いて口腔内を照らす。
【０００８】
しかし、上述の技術はいずれも検査鏡に光源を付属させており、光源を光らせるために電池等の電力を用いている。そのため、電力が得られない状況では光源が点灯せず、口腔内を照らすことができない。また、検査鏡は、洗面所等の水まわりで使用することも多いため、水にぬれることによる漏電が発生する可能性も否定できない。さらに、通電する部分については洗うことができず、不衛生である。
【０００９】
本考案は、光源を付属させることなく、外部の光によって口腔内を照らすことのできる検査具を提供することを目的とする。
【課題を解決するための手段】
【００１０】
上記課題を解決するために、本考案に係る検査具は、集光部と、前記集光部から入射した光を導く導光部と、前記導光部に導かれた光を放出する照射部とを設け、前記集光部の集光面の面積は前記照射部の照射面の面積より大きいことを特徴とする。
【００１１】
また、当該検査具は、前記照射部から放出された光に照射された照射物を映すミラー部を備えることとしてもよい。
【００１２】
また、当該検査具は、前記集光部、前記導光部、前記照射部が一体成型によって形成されていることとしてもよい。
【００１３】
また、当該検査具は、石英ガラス、ポリカーボネート、ポリプロピレン、エラストマー、アクリル、シリコーンゴムのいずれかで一体成型された透光体を備え、前記透光体の一端に前記集光部、他端に前記照射部が形成されていることとしてもよい。
【００１４】
また、当該検査具は、前記集光部の面積は、前記照射部の照射面の面積の５倍以上とすることを特徴としてもよい。
【００１５】
また、前記導光部は塑性変形することとしてもよい。
【００１６】
また、前記照射部は、前記導光部の先端が所定の角度で屈曲することにより形成されていることとしてもよい。
【００１７】
また、前記導光部は光を反射する反射膜を備えることとしてもよい。
【００１８】
また、前記反射膜は前記導光部にスパッタリングにより成膜されていることとしてもよい。
【００１９】
また、当該検査具は、前記集光部に照明器具が接続されていることとしてもよい。
【考案の効果】
【００２０】
本考案によれば、光源を付属させることなく、外部の光によって口腔内を照らすことのできる検査具を提供することができる。
【図面の簡単な説明】
【００２１】
【図１】第１の実施形態における検査鏡の外観を示した図である。
【図２】第１の実施形態における検査鏡の変形例の外観を示す図である。
【図３】第２の実施形態における検査鏡の外観を示す図である。
【図４】第３の実施形態における検査鏡の外観を示す図である。
【図５】第４の実施形態における検査鏡の外観を示す図である。
【図６】第５の実施形態における検査鏡の外観を示す図である。
【図７】第６の実施形態における検査具の外観を示す図である。
【考案を実施するための形態】
【００２２】
（第１の実施形態）
以下、図面に基づいて本考案における検査具の実施の形態の例を説明する。図１は、第１の実施形態における検査鏡（鏡を備えた検査具）の外観を示した図である。
【００２３】
図１（a）は、検査鏡１の外観を示した図である。検査鏡１は、透光体１０と、柄１５と、ミラー部１４を備える。透光体１０は、集光部１１と、導光部１２と、照射部１３と、反射膜１６とを備える。
【００２４】
柄１５の一端にミラー部１４が固定されている。透光体１０は柄１５に固定され、ミラー部１４に近い側の一端に照射部１３を備え、他端に集光部１１を備えている。
【００２５】
柄１５は樹脂製で、ミラー部１４のミラー周囲までを一体成型している。ミラー部のミラーは一般的な鏡である。ミラーの直径は１．５〜３．５ｃｍである。
【００２６】
透光体１０は、透光性と高屈折率を有する透明な素材からなり、断面を略円形とする。本実施形態では、透光体１０にアクリル樹脂を用いる。図１（a）では、透光体１０に入射した光Ｌの反射を説明するため、透光体１０の内部を便宜的に示している。しかし実際には、内部で反射される光を外部に漏らさず照射するために、透光体１０は反射膜１６により被覆されている。
【００２７】
図１（b）は、透光体１０の外観を示す図である。透光体１０は、集光部１１及び照射部１３以外の部分が反射膜１６により被覆されている。反射膜１６は、錫や銀等の金属を透光体１０に蒸着することにより形成される。なお、反射膜１６は、金属の薄膜を透光体１０に接着することにより形成してもよい。また、反射膜１６は、透光体１０に対しＣｒ、Ａｌ、ＴｉＮ等をスパッタリングにより成膜してもよい。
【００２８】
透光体１０の集光部１１は、透光体１０の上端部であり、集光面を備える。集光面は、外部光源からの光が効率的に入射されるよう、大きな直径を有することが望ましい。望ましくは、１．８ｃｍ〜５ｃｍの直径を備えるよう構成する。集光部１１と照射部１３の間は導光部１２であり、導光部１２は照射部１３に近づくにつれ漸次径が狭くなるよう構成する。従って、集光部１１よりも照射部１３の直径が狭くなるよう構成する。これにより、集光部１１から入射し、導光部１２の内壁に接する反射膜１６に反射した光が、照射部１３に収束して発光する。
【００２９】
なお、集光部１１の集光面の面積は、照射部１３の照射面の面積の５倍以上、例えば５倍〜１０倍とすることが望ましい。この構成によれば、照射面が口腔内等の暗所にくる場合であっても、ミラー部が視認できる程度の明るさを得ることができる。
【００３０】
また、透光体１０は、照射部１３がミラー部１４近傍にくるよう形成されている。ミラー部１４と柄１５の境界から０．５ｃｍ〜３ｃｍ以内に照射部１３が配置されるよう構成することが望ましい。
【００３１】
集光部１０から、太陽光や照明等の外部光源の光が透光体１０に入射される。図１（a）において、入射される光の軌道をＬとして便宜的に示す。光Ｌは導光部１２の内壁に接する反射膜１６に対し全反射し、照射部１３に導かれる。照射部１３において、光Ｌを始めとする入射光が集約され、最終的に照射部１３から出射光となって放出される。放出された出射光は、そのまま口腔内を照らすか、ミラー部１４に反射して口腔内を明るくし、口腔の視認を容易にする。ミラー部１４には、照射部１３から照射された光により照らされた対象物が明るく映って見える。
【００３２】
図１（c）は、検査鏡１の側面図である。本実施形態における透光体１０は、柄１５と接する一辺については直線状であり、それ以外の部分について、集光部１１から照射部１３に近づくにつれ径が狭くなるように形成する。これにより、柄１５部分が把持しやすい形状となる。
【００３３】
以上の構成により、検査具に光源を付属させずに、太陽光又は照明の光等の外部光を集約し、検査具の先端から光を発生させることができる。
【００３４】
なお、透光体１０は、アクリル樹脂の他に、例えば石英ガラス、ポリカーボネート・ポリプロピレン・エラストマー等のプラスチック樹脂であってもよく、またこれらの混合物であってもよい。透光性と高屈折率を有する素材であれば、これに限定されない。柄１５やミラー部１４の素材も上述の形態に限定されるものではなく、大きさもこれに限定されるものでないことは言うまでもない。例えば、柄１５及びミラー部１４のミラー周囲を金属で形成し、透光体１０を接着する等の方法で固定してもよい。また、反射膜１６についても、上述の素材に限定されるものではない。
【００３５】
（第１の変形例）
第１の実施形態における検査具の第１の変形例として、柄１５を透光体１０の一辺に沿わせる形状とすることができる。図２は、第１の実施形態における検査鏡の変形例の外観を示す図である。以下、上述の実施形態と異なる点について説明し、重複する点については説明を省略する。
【００３６】
第１の実施形態の変形例である、検査鏡２において、透光体１０は略円錐形状である。つまり、集光部１１の中心と照射部１３の中心を軸として線対称な形状をしている。柄１５は、透光体１０の母線に沿って形成又は接着されている。図２における透光体１０は、集光部１１から照射部１３に向かうにつれてやや角ばった形状をなしつつ径を狭めているため、柄１５も透光体１０の母線に沿ってやや角ばった形状となる。透光体１０は、なめらかな丸みを帯びつつ径を狭めてもよいし、母線を直線としてもよい。母線を直線とする場合は、柄１５は直線となる。
【００３７】
本例の場合、鉛筆を持つように検査鏡２を指で支える動作をする場合に、人差し指と親指で支えやすい形状となる。
【００３８】
（第２の変形例）
第１の実施形態における検査具の変形例として、反射膜１６を備えない構成とすることができる。本例の場合、集光部１１から入射した外部光の一部は、導光部１２の外周面に反射することにより、照射部１３に導かれ放出される。反射膜を備えた場合に比べ、入射した外部光の一部が導光部１２の壁面から放射してしまう可能性があるが、一方で、透光体１０の側面から入射した光を照射部１３に導くことも可能である。さらには、透光体１０の内部に集光性蛍光染料を含有させ着色する事により、側面からの入射光を蛍光色に変え照射部１３に導くことが可能である。
【００３９】
この構成によれば、透光体１０に反射膜１６を形成する必要がないので、製造コストを節約できる。また、透光体１０全体が視認でき、見た目にも美麗である。
【００４０】
（第２の実施形態）
次に、第２の実施形態について説明する。図３は、第２の実施形態における検査鏡の外観を示す図である。第２の実施形態における検査鏡２の備える透光体３０は、可撓性の素材からなり、柄３５の端を超えた長さになるよう構成されている。以下、上述の実施形態と異なる点について説明し、重複する点については説明を省略する。
【００４１】
柄３５のうち、ミラー部３４と接する端と反対側の端を端３５ａとする。透光体３０は、コア層とクラッド層を有する光ファイバー素材により成形される。透光体３０は、照射部３３をミラー部３４近傍に配置する点は第１の実施形態と同様だが、集光部３１は端３５ａよりもミラー部３４と逆方向に延出している点が第１の実施形態と異なる。
【００４２】
従って、透光体３０の長手方向の全長、つまり照射部３３から集光部３１までの長さは、柄３５の全長より長くなるよう構成することが望ましい。望ましくは、端３５ａから３０ｃｍ〜１ｍ延出しているよう構成する。
【００４３】
なお、柄３５は塑性変形せず、直線形状を維持する。金属により形成されるが、樹脂製としてもよい。このため、ミラー部３４に像を映す際に柄３５を把持して操作しやすい。一方、透光体３０は可撓性を有する素材からなり、塑性変形するため、例えば集光部３１を照明のそばにくるよう変形させることができる。導光部３２は集光部３１からの入射光を全反射して照射部３３に導き、照射部３３において集約された光が外部に放出される。
【００４４】
この構成によれば、照明器具に近い位置に集光部３１を配置することができるため、より光量の強い入射光を得ることができる。従って、照射部３３に多くの光が集約し放出されるため、ミラー部３４付近を明るく照らすことができる。
【００４５】
例えば、集光部３１を照明器具の近傍に固定し、検査鏡３で視認する対象をミラー部３４に映るように調整するような使用形態が考えられる。この構成により、検査具に用いる光源を用意することなく、検査鏡３付近を明るくすることができる。
【００４６】
なお、透光体３０は光ファイバー素材に限定されず、例えばシリコーンゴムであってもよい。透光性と高屈折率を有し、可撓性があれば素材は問わない。
【００４７】
（第３の実施形態）
次に、第３の実施形態について説明する。図４は、第３の実施形態における検査鏡の外観を示す図である。第３の実施形態における検査鏡４は、第１及び第２実施形態における柄を形成せず、透光体をそのまま把持して使用する。以下、上述の実施形態と異なる点について説明し、重複する点については説明を省略する。
【００４８】
図４（a）は、第３の実施形態における検査鏡４の外観である。第３の実施形態における検査鏡４は、集光部４１、導光部４２、照射部４３、ミラー部４４を備える。集光部３１、導光部４２、照射部４３、及びミラー部４４の鏡の枠部分は、透光性と高屈折率を有する透明な樹脂により成型されている。
【００４９】
導光部４２は、周囲を反射膜で覆われている点は第１の実施形態と同様である。ただし、照射部４３には反射膜は形成されておらず、透明な樹脂部分がむき出しになっている。
【００５０】
図４（b）は検査鏡４の側面図であり、図４（c）は検査鏡４の使用例である。検査鏡４は、内部に反射膜４５を備える。集光部４２から入射した光は、導光部４２の壁面に形成された反射膜に全反射を繰り返し、一部が直接照射部４３から照射され、他の一部は反射膜４５に反射したのち照射部４３から照射される。図４（c）に示すように、集光部４１から入射した照明器具の光によって、口腔内が明るく照らし出される。
【００５１】
なお、照射部４３に、照射する光を収束させるレンズを備えてもよい。集光部４２から入射し、導光部４２を通過して照射部４３に到達した光がレンズによって収束され、使用者が意図する特定のポイントを明るく照らすことができる。
【００５２】
また、検査鏡４は、集光部４１、導光部４２、照射部４３、ミラー部４４の鏡の枠部分までを樹脂で一体成型し、その後反射膜４５を形成してもよい。さらに、反射膜４５から上の部分、つまり集光部４１、導光部４２及び反射膜４５を成形した後に、他の部分と接着等により固定してもよい。また、検査鏡４を構成する素材が上述の例に限られないことは、言うまでもない。
【００５３】
（第４の実施形態）
次に、第４の実施形態について説明する。図５は、第４の実施形態における検査鏡の外観を示す図である。第４の実施形態における検査鏡５は、検査具である透光体５０の先端を屈曲させて形成している点、透光体５０とミラー部５４とを分離可能に形成し、留め部材５７で固定している点が上述の実施形態と異なる。以下、上述の実施形態と異なる点について説明し、重複する点については説明を省略する。
【００５４】
図５（a）は、検査鏡５の外観を示す図である。検査鏡５は、透光体５０及びミラー部５４からなり、透光体５０とミラー部５４の支え棒とが留め部材５７により固定されている。検査具である透光体５０は、ミラー部５４の支え棒及び留め部材５７から抜き差しが可能である。
【００５５】
透光体５０の先端にある照射部５３は、ミラー部５４の支え棒に対するミラー面の取り付け方向と同じ方向に屈曲している。検査鏡５における透光体５０は、ミラー部５４と接する一辺を直線状とし、集光部５１から下部に向かうにつれ漸次径が狭くなる点は上述の実施形態と同様である。ただし、透光体５０最下部において、透光体５０は、透光体５０がミラー部５４の支え棒と接する部分と反対方向に屈曲しており、屈曲部分の先端に照射部５３を設けている。
【００５６】
本実施形態においては、透光体５０がミラー部５４に対し７０〜１００度の角度で屈曲し、照射部５３を形成することが望ましい。
【００５７】
透光体５０は、集光部５１及び照射部５３以外の部分が反射膜で覆われている。これにより、集光部５１から入射し、透光体５０の内壁に接する反射膜に反射した光が、照射部５３に収束して発光する。
【００５８】
図５（b）は、検査鏡５の側面図である。検査鏡５における照射部５３は、透光体５０がミラー部５４の支え棒と接する側と反対の方向に屈曲している。なお、ミラー部５４の柄から照射部５３の先端までの距離Ｋは、２ｍｍ〜７ｍｍとすることが望ましい。
【００５９】
また、透光体５０の内部であって、照射部５３近傍の屈曲した角部には、反射膜５６を設けることとしてもよい。これにより、集光部５１から入射した光を効率的に照射部５３に導くことができる。
【００６０】
図５（c）は、検査鏡５の使用例を示す図である。集光部５１から入射し、透光体５０内部で反射し、照射部５３に収束した光は、照射部５３の屈曲により指向性が生じる。そのため、使用者が意図する特定のポイントを、より明るく照らすことができる。
【００６１】
（第５の実施形態）
次に、第５の実施形態について説明する。図６は、第５の実施形態における検査具の外観を示す図である。第５の実施形態は、集光部に照明装置を取り付け可能とした実施形態である。以下、上述の実施形態と異なる点について説明する。
【００６２】
第５の実施形態における検査具６は、透光体６０及びミラー部６４からなる。透光体６０の一端である集光部６１には、電池式の照明器具６７が着脱可能に装着される。図６（a）は透光体６０に照明器具６７を装着する前の状態であり、図６（b）は透光体６０に照明装置６７を装着した状態を示す図である。
【００６３】
照明器具６のスイッチを入れると、内蔵している電池によって照明が灯る。集光部６１は照明器具６による光を集光し、透光体６０内部に導く。照射部６３からは、集光部６１により集光され、透光体６０内部を反射した光が導かれ、収束した光が照射部６３から照射される。
【００６４】
この構成により、検査具６を使用する場所が暗い場合など、集光部６１が光を充分に集光できない場合に、照明器具６７を用いて光を集光部６１にあてることで、効率的に照射部６３から光を照射することができる。
【００６５】
（第６の実施形態）
次に、第６の実施形態について説明する。図７は、第６の実施形態における検査具の外観を示す図である。第６の実施形態において、検査具７にはミラー部は設けられていない。使用時は必要に応じて、検査具７と共にミラー器具を用いる。
【００６６】
検査具７は透光体７０からなり、透光体７０は集光部７１及び照射部７３を備える。集光部７１は外部の光を集光して透光体７０内部に導き、透光体７０内部に導かれた光が透光体７０内を反射して照射部７３から照射される点は、上述の実施形態と同様である。
【００６７】
この構成によれば、光を照射する対象物を随時変更しながら、ミラーに映った対象物を視認したい場合、ミラー器具と検査具７を別々の手で把持して、照射領域を調整しながら作業を行うことができる。
【００６８】
以上、各実施形態に基づき本考案の説明を行ってきたが、上記実施形態に示した要件に本考案が限定されるものではない。本考案の構成要素は、考案の主旨をそこなわない範囲で変更することができ、その応用形態に応じて適切に定めることができる。
【００６９】
また、各実施形態は、それぞれの特徴を組み合わせることができる。上述のいずれかの検査具が、他の実施形態の特徴を併せ持つものであってもよい。さらに、検査具は、口腔内を照らす以外の目的で用いられることができることは言うまでもない。例えば、精密機械内部を視認するために用いたり、手の届かないパイプ内部等を視認するために用いてもよい。
【符号の説明】
【００７０】
１：検査鏡、２：検査鏡、３：検査鏡、４：検査鏡、５：検査鏡、６：検査鏡、７：検査具、１０：透光体、１１：集光部、１２：導光部、１３：照射部、１４：ミラー部、１５：柄、１６：反射膜、３０：透光体、３１：集光部、３２：導光部、３３：照射部、３５：柄、３５ａ：端、４０：透光体、４１：集光部、４２：導光部、４３：照射部、４４：ミラー部、４５：反射膜、５０：透光体、５１：集光部、５３：照射部、５４：ミラー部、５５：柄、５６：反射膜、５７：部材、６０：透光体、６１：集光部、６３：照射部、６４：ミラー部、６７：照明器具、７０：透光体、７１：集光部、７３：照射部、Ｌ：光、Ｋ：距離
【図１】
0003182337.tif 000003
【図２】
0003182337.tif 000004
【図３】
0003182337.tif 000005
【図４】
0003182337.tif 000006
【図５】
0003182337.tif 000007
【図６】
0003182337.tif 000008
【図７】
0003182337.tif 000009